(57)【要約】【課題】ヘッドキャリッジと共に往復方向に移動して媒体を切断するカッターを備える記録装置において、媒体を切断する際に発生する媒体の切り屑が記録ヘッドに付着することを簡単な構成で抑制する。【解決手段】媒体Ｍに記録を行う記録ヘッド６を搭載し、媒体Ｍに対して往復方向Ｂに移動するヘッドキャリッジ２と、ヘッドキャリッジ２と共に往復方向に移動し、媒体Ｍを切断するカッター４と、ヘッドキャリッジ２とカッター４とを収納し、往復方向Ｂの両側に壁９ａ及び９ｂを有する筐体９と、を備え、両側の壁９ａ及び９ｂに、開閉部５が設けられている記録装置１。【選択図】図１
2019119035.tif 000002
【特許請求の範囲】
【請求項１】
媒体に記録を行う記録ヘッドを搭載し、前記媒体に対して往復方向に移動するヘッドキャリッジと、
前記ヘッドキャリッジと共に前記往復方向に移動し、前記媒体を切断するカッターと、
前記ヘッドキャリッジと前記カッターとを収納し、前記往復方向の両側に壁を有する筐体と、を備え、
前記両側の壁に、開閉部が設けられていることを特徴とする記録装置。
【請求項２】
請求項１に記載の記録装置において、
前記カッターは、前記ヘッドキャリッジに設けられていることを特徴とする記録装置。
【請求項３】
請求項１に記載の記録装置において、
前記ヘッドキャリッジとは別に設けられ、前記ヘッドキャリッジに対して係合可能な係合部と前記カッターとを有し、前記係合部が前記ヘッドキャリッジと係合することで前記ヘッドキャリッジと共に前記往復方向に移動する、カッターキャリッジを備えることを特徴とする記録装置。
【請求項４】
請求項１から３のいずれか１項に記載の記録装置において、
前記開閉部の開閉を制御する制御部を備え、
前記制御部は、前記カッターが前記媒体を切断する際に、前記両側の壁の両方の前記開閉部を開位置にすることを特徴とする記録装置。
【請求項５】
請求項１から４のいずれか１項に記載の記録装置において、
前記筐体における前記開閉部の外側に、前記カッターが前記媒体を切断する際に生じる前記媒体の切り屑を回収する回収部を備えることを特徴とする記録装置。
【発明の詳細な説明】
【技術分野】
【０００１】
本発明は、記録装置に関する。
【背景技術】
【０００２】
従来から、様々な構成の記録装置が使用されている。このうち、記録ヘッドを搭載するヘッドキャリッジと、該ヘッドキャリッジと共に往復方向に移動して媒体を切断するカッターと、を備える記録装置がある。  
例えば、特許文献１には、印字ヘッド（記録ヘッド）を搭載するヘッドキャリッジと、該ヘッドキャリッジへの係合部とカッター刃（カッター）とを搭載するカッターキャリッジと、を備えるプリンタ（記録装置）が開示されている。
【先行技術文献】
【特許文献】
【０００３】
【特許文献１】特開２００３−３２０７２０号公報
【発明の概要】
【発明が解決しようとする課題】
【０００４】
しかしながら、特許文献１に開示されるような、従来の、記録ヘッドを搭載するヘッドキャリッジと、該ヘッドキャリッジと共に往復方向に移動して媒体を切断するカッターと、を備える記録装置においては、媒体を切断する際に発生する媒体の切り屑（紙粉など）が記録ヘッドに付着する場合があった。記録ヘッドとカッターによる媒体の切断位置が近く、ヘッドキャリッジの移動に伴う気流（乱流）に乗って切り屑が記録ヘッドに向かって流れ込む場合があるためである。記録ヘッドに媒体の切り屑が付着すると、記録不良を引き起こし、記録品質が低下する場合がある。そこで、媒体を切断する際に発生する媒体の切り屑が記録ヘッドに付着することを抑制することが望まれているが、複雑な構成にすると、装置に不具合が生じ易くなる虞や、高コスト化する虞がある。
【０００５】
そこで、本発明は、ヘッドキャリッジと共に往復方向に移動して媒体を切断するカッターを備える記録装置において、媒体を切断する際に発生する媒体の切り屑が記録ヘッドに付着することを簡単な構成で抑制することを目的にする。
【課題を解決するための手段】
【０００６】
上記課題を解決するための本発明の第１の態様の記録装置は、媒体に記録を行う記録ヘッドを搭載し、前記媒体に対して往復方向に移動するヘッドキャリッジと、前記ヘッドキャリッジと共に前記往復方向に移動し、前記媒体を切断するカッターと、前記ヘッドキャリッジと前記カッターとを収納し、前記往復方向の両側に壁を有する筐体と、を備え、前記両側の壁に、開閉部が設けられていることを特徴とする。
【０００７】
本態様によれば、ヘッドキャリッジの往復方向の両側の壁に開閉部が設けられているので、一方側（ヘッドキャリッジの移動方向の後方側）の開閉部を気流の入口とし、他方側（ヘッドキャリッジの移動方向の先頭側）の開閉部を気流の出口とし、ヘッドキャリッジの往復移動に伴って発生する気流をヘッドキャリッジの移動方向の後方側から先頭側に向かう気流にすることができる。したがって、このような簡単な構成により、ヘッドキャリッジの周囲で渦巻くような乱流の発生を抑えることができ、乱流に乗って切り屑が記録ヘッドに向かって流れ込むことを低減できる。
【０００８】
本発明の第２の態様の記録装置は、前記第１の態様において、前記カッターは、前記ヘッドキャリッジに設けられていることを特徴とする。
【０００９】
本態様によれば、カッターはヘッドキャリッジに設けられているので、装置全体の構成を簡単にできる。
【００１０】
本発明の第３の態様の記録装置は、前記第１の態様において、前記ヘッドキャリッジとは別に設けられ、前記ヘッドキャリッジに対して係合可能な係合部と前記カッターとを有し、前記係合部が前記ヘッドキャリッジと係合することで前記ヘッドキャリッジと共に前記往復方向に移動する、カッターキャリッジを備えることを特徴とする。
【００１１】
本態様によれば、ヘッドキャリッジとは別に、カッターキャリッジを備えるので、ヘッドキャリッジの構成を簡単にできる。また、ヘッドキャリッジに対して係合可能なカッターキャリッジを備えるので、必要なとき（媒体を切断するとき）にだけカッターキャリッジを移動させることができる。すなわち、媒体を切断しないときには、簡単な構成とすることで軽量化されたヘッドキャリッジのみを移動させることができ、媒体を切断しないときのヘッドキャリッジの往復移動の負荷を低減できる。
【００１２】
本発明の第４の態様の記録装置は、前記第１から第３のいずれか１つの態様において、前記開閉部の開閉を制御する制御部を備え、前記制御部は、前記カッターが前記媒体を切断する際に、前記両側の壁の両方の前記開閉部を開位置にすることを特徴とする。
【００１３】
本態様によれば、開閉部の開閉を制御する制御部を備えるので、必要なとき（媒体を切断するとき）に、自動で、両側の壁の両方の開閉部を開位置にできる。
【００１４】
本発明の第５の態様の記録装置は、前記第１から第４のいずれか１つの態様において、前記筐体における前記開閉部の外側に、前記カッターが前記媒体を切断する際に生じる前記媒体の切り屑を回収する回収部を備えることを特徴とする。
【００１５】
本態様によれば、筐体における開閉部の外側に、カッターが媒体を切断する際に生じる媒体の切り屑を回収する回収部を備えるので、該切り屑で筐体の外側を汚すことを抑制できる。
【図面の簡単な説明】
【００１６】
【図１】本発明の実施例１に係る記録装置の概略平面図。
【図２】本発明の実施例１に係る記録装置の概略平面図。
【図３】本発明の実施例１に係る記録装置の概略正面図。
【図４】本発明の実施例１に係る記録装置のブロック図。
【図５】本発明の実施例２に係る記録装置の概略平面図。
【図６】本発明の実施例３に係る記録装置の概略正面図。
【図７】参考例の記録装置の概略平面図。
【発明を実施するための形態】
【００１７】
以下に、本発明の一実施例に係る記録装置１について、添付図面を参照して詳細に説明する。  
［実施例１］（図１〜図４）  
最初に、本発明の実施例１に係る記録装置１の概要について説明する。  
図１及び図２は、本実施例に係る記録装置１の概略平面図である。このうち、図１はカッター４で媒体Ｍを切断している状態を表しており、図２はカッター４で媒体Ｍを切断していない状態を表している。  
また、図３は、本実施例に係る記録装置１の概略正面図であり、カッター４で媒体Ｍを切断している状態を表している。
【００１８】
図１から図３で表されるように、本実施例の記録装置１は、搬送方向Ａに搬送される媒体Ｍに対して、ガイドバー３に沿って該搬送方向Ａと交差（直交）する往復方向Ｂに移動するヘッドキャリッジ２（ヘッドキャリッジ２ａ）を備えている。そして、本実施例のヘッドキャリッジ２ａには、図３で表されるように、媒体Ｍに記録を行う記録ヘッド６と、記録ヘッド６により記録が可能な媒体Ｍを切断するカッター４と、が設けられている。
【００１９】
ここで、本実施例の記録装置１は、複数色のインクを吐出方向Ｃに吐出して画像を形成可能なインクジェットプリンターである。そして、本実施例の記録ヘッド６は搬送方向Ａに沿って複数のノズルが並べられるノズル列をインクごとに有する所謂シリアルヘッドである。
【００２０】
また、本実施例のカッター４は、図３で表されるように、媒体Ｍと対向する位置に円板状のカッター刃１１が設けられており、必要に応じてカッター刃１１を吐出方向Ｃに沿う方向に移動することができる構成になっている。本実施例のカッター４は、このような構成となっていることにより、媒体Ｍを切断するときにだけカッター刃１１を吐出方向Ｃに沿う方向に突出させ、媒体Ｍを切断するとき以外はカッター刃１１を引っ込める（収納する）ことが可能な構成となっている。
【００２１】
また、図１から図３で表されるように、本実施例の記録装置１は、ヘッドキャリッジ２などの内部装置を収納する筐体９を有している。本実施例の筐体９は、内部装置を搬送方向Ａに沿う方向、往復方向Ｂに沿う方向及び吐出方向Ｃに沿う方向の何れの方向からも覆っている。このため、本実施例の記録装置１は、記録ヘッド６からインクを吐出することに伴うインクミストを外部に逃がしにくい（外部を汚しにくい）構成になっているとともに、ユーザーが記録動作中などに内部装置に触れてしまうことを抑制できる構成になっている。
【００２２】
また、図１から図３で表されるように、本実施例の記録装置１は、往復方向Ｂの両側に壁９ａ及び９ｂに、孔部１２と、該孔部１２を開閉する開閉部５（壁９ａ側の開閉部５ａ、壁９ｂ側の開閉部５ｂ）と、を備えている。なお、開閉部５は、後述する制御部２０（図４参照）の制御により、搬送方向Ａに沿って移動可能な構成になっており、孔部１２を開けている（開放している）開位置（図１参照）と、孔部１２を閉じている閉位置（図２参照）と、に配置されることが可能になっている。
【００２３】
次に、本実施例の記録装置１の要部である開閉部５について説明する。  
ここで、図７は、本実施例の記録装置１における開閉部５を説明するための比較として用いられる参考例の記録装置１０１の概略平面図であり、本実施例の記録装置１の図１に対応する図である。
【００２４】
図２は、本実施例のヘッドキャリッジ２ａが待機位置（ホームポジション）にある状態である。このような状態のときは、開閉部５は、壁９ａ側の開閉部５ａ、壁９ｂ側の開閉部５ｂ共に、孔部１２を閉じる閉位置となるように配置される。なお、本実施例のヘッドキャリッジ２ａが待機位置にあるときに限らず、カッター４により媒体Ｍを切断するとき以外のときは、開閉部５は閉位置となるように配置される。
【００２５】
また、図１は、本実施例のヘッドキャリッジ２ａが往復方向Ｂのうちの往方向Ｂ１に移動してカッター４により媒体Ｍを切断している状態である。このような状態のときは、開閉部５は、壁９ａ側の開閉部５ａ、壁９ｂ側の開閉部５ｂ共に、孔部１２を開ける開位置となるように配置される。なお、本実施例の記録装置１においては、図１で表される状態の後（媒体Ｍの切断直後）にヘッドキャリッジ２ａを待機位置に向かって往復方向Ｂのうちの復方向Ｂ２に移動させる際も、引き続き、開閉部５ａ及び５ｂ共に、孔部１２を開ける開位置となるように配置される。しかしながら、ヘッドキャリッジ２ａを往方向Ｂ１に移動して媒体Ｍの切断した直後にヘッドキャリッジ２ａを待機位置に向かって復方向Ｂ２に移動させる際は、開閉部５を閉位置としてもよい。さらには、ヘッドキャリッジ２ａを復方向Ｂ２に移動する際にカッター４により媒体Ｍを切断する構成であって、少なくともヘッドキャリッジ２ａを復方向Ｂ２に移動して媒体Ｍを切断している際に開閉部５ａ及び５ｂ共に開位置とする構成としてもよい。
【００２６】
ヘッドキャリッジ２が往復方向Ｂに沿って移動すると、ヘッドキャリッジ２の移動に伴って周囲の空気が押され、気流Ｆが発生する。図１で表されるように、ヘッドキャリッジ２が往方向Ｂ１に移動しているときに開閉部５ａ及び開閉部５ｂが共に開位置となっていると、ヘッドキャリッジ２の移動に伴って該ヘッドキャリッジ２の移動方向の先頭側の空気が押され、開閉部５ａから空気が流入するとともに開閉部５ｂから空気が排出され、略層流となる気流Ｆが生じる。カッター４により媒体Ｍを切断すると、紙粉など媒体Ｍの切り屑が発生する場合がある。しかし、図１で表されるような略層流となる気流Ｆが生じると、媒体Ｍの切断により発生した紙粉など媒体Ｍの切り屑は、ヘッドキャリッジ２の移動方向に沿って移動し易くなるため、記録ヘッド６に向かって流れ込むことは低減される。また、切り屑は、略層流となる気流Ｆに乗ることによって、開閉部５ｂ（ヘッドキャリッジ２の移動方向の先頭側の開閉部５）を介して筐体９の外部に排出される場合もある。そして、このように略層流となる気流Ｆを生じさせて筐体９の内部から該切り屑を効果的に排出することができれば、さらに、筐体９の内部で顕著な乱流を生じさせて該切り屑が記録ヘッド６に付着することを抑制できる。
【００２７】
一方、図７で表されるように、参考例の記録装置１０１は、ヘッドキャリッジ１０２がガイドバー１０３に沿って往復方向Ｂに移動可能な構成であるが、筐体１０９における往復方向Ｂの両側の壁１０９ａ及び１０９ｂに開閉部が形成されていない。このため、図７で表されるように、ヘッドキャリッジ１０２が往方向Ｂ１に移動すると、ヘッドキャリッジ１０２の移動に伴って筐体９の内部への気流Ｆの流入及び筐体９の外部への気流Ｆの流出がないため、該ヘッドキャリッジ２の周囲で顕著な乱流を生じさせる。そして、このような顕著な乱流となる気流Ｆを生じることで、カッター１０４による媒体Ｍの切断に伴う切り屑が記録ヘッド６に向かって流れ込み付着する虞を生じる。
【００２８】
ここで、一旦まとめると、本実施例の記録装置１は、媒体Ｍに記録を行う記録ヘッド６を搭載し、媒体Ｍに対して往復方向Ｂに移動するヘッドキャリッジ２と、ヘッドキャリッジ２と共に往復方向Ｂに移動し、媒体Ｍを切断するカッター４と、ヘッドキャリッジ２とカッター４とを収納し、往復方向Ｂの両側に壁９ａ及び９ｂを有する筐体９と、を備え、両側の壁９ａ及び９ｂに、開閉部５が設けられている。  
このように、本実施例の記録装置１は、ヘッドキャリッジ２の往復方向Ｂの両側の壁９ａ及び９ｂに開閉部５が設けられているので、一方側（ヘッドキャリッジ２の移動方向の後方側）の開閉部５（例えばヘッドキャリッジ２が往方向Ｂ１に移動する場合における開閉部５ａ）を気流Ｆの入口とし、他方側（ヘッドキャリッジ２の移動方向の先頭側）の開閉部５（例えばヘッドキャリッジ２が往方向Ｂ１に移動する場合における開閉部５ｂ）を気流Ｆの出口とし、ヘッドキャリッジ２の往復移動に伴って発生する気流Ｆをヘッドキャリッジ２の移動方向の後方側から先頭側に向かう気流Ｆにすることができる。したがって、本実施例の記録装置１は、媒体Ｍを切断する際、乱流の発生を抑え、乱流に乗って切り屑が記録ヘッド６に向かって流れ込むことを低減できる。また、略層流となる気流Ｆの発生に伴い、ヘッドキャリッジ２の移動方向の先頭側の開閉部５から媒体Ｍを切断する際に発生する媒体Ｍの切り屑を筐体９の外部に排出することができる。そのため、上記のような簡単な構成で、該切り屑が記録ヘッド６に付着することを抑制できる構成としている。
【００２９】
次に、本実施例の記録装置１における電気的な構成について説明する。  
図４は、本実施例の記録装置１のブロック図である。
【００３０】
制御部２０には、記録装置１の全体の制御を司るＣＰＵ２１が設けられている。ＣＰＵ２１は、システムバス２２を介して、ＣＰＵ２１が実行する各種制御プログラム等を格納したＲＯＭ２３と、データを一時的に格納可能なＲＡＭ２４と接続されている。
【００３１】
また、ＣＰＵ２１は、システムバス２２を介して、モーター駆動部２５と接続されている。モーター駆動部２５は、媒体Ｍを搬送方向Ａに搬送する不図示の搬送ローラーを駆動する搬送モーター２７、ヘッドキャリッジ２（ヘッドキャリッジ２ａ）を往復方向Ｂに往復移動させるキャリッジモーター２８、開閉部５（開閉部５ａ及び開閉部５ｂ）を搬送方向Ａに沿って移動させる開閉部モーター２９、カッター刃１１を吐出方向Ｃに沿って移動させるカッターモーター３０、と接続されている。
【００３２】
さらに、ＣＰＵ２１は、システムバス２２を介して、記録ヘッド６を駆動（吐出方向Ｃにインクを吐出）するための記録ヘッド駆動部２６と接続されている。
【００３３】
すなわち、本実施例の記録装置１は、開閉部５の開閉を制御する制御部２０を備え、制御部２０は、カッター４が媒体Ｍを切断する際に、両側の壁９ａ及び９ｂの両方の開閉部５ａ及び５ｂを開位置にすることができる。  
このように、本実施例の記録装置１は、開閉部５の開閉を制御する制御部２０を備えるので、必要なとき（媒体Ｍを切断するとき）に、自動で、壁９ａの開閉部５ａ及び壁９ｂの開閉部５ｂを開位置にできる構成になっている。また、逆に言うと、本実施例の記録装置１は、開閉部５の開閉を制御する制御部２０を備えるので、必要でないとき（媒体Ｍを切断しないとき）に、自動で、壁９ａの開閉部５ａ及び壁９ｂの開閉部５ｂを閉位置にできる構成になっている。  
ただし、制御部２０が開閉部５の開閉を制御する構成に限定されず、ユーザーが手動で開閉部５を開閉する構成としてもよい。
【００３４】
また、上記のように、本実施例の記録装置１においては、カッター４はヘッドキャリッジ２に設けられている。このため、装置全体の構成を簡単にできている。  
ただし、このような構成に限定されない。
【００３５】
次に、カッター４がヘッドキャリッジ２に設けられていない構成である実施例２の記録装置１について説明する。  
［実施例２］（図５）  
図５は本実施例の記録装置１を表す概略平面図であり、実施例１の記録装置１の図２に対応する図である。なお、上記実施例１と共通する構成部材は同じ符号で示しており、詳細な説明は省略する。  
ここで、本実施例の記録装置１は、ヘッドキャリッジ２の構成（本実施例のヘッドキャリッジ２ｂにはカッター４が設けられていない）と、カッター４を有するカッターキャリッジ７を備えていること以外は、実施例１の記録装置１と同様の構成である。
【００３６】
図５で表されるように、本実施例の記録装置１は、ヘッドキャリッジ２（ヘッドキャリッジ２ｂ）とは別に設けられ、ヘッドキャリッジ２に対して係合可能な係合部８とカッター４とを有し、係合部８がヘッドキャリッジ２と係合することでヘッドキャリッジ２と共に往復方向Ｂに移動する、カッターキャリッジ７を備えている。  
このように、本実施例の記録装置１は、ヘッドキャリッジ２とは別に、カッターキャリッジ７を備えているので、ヘッドキャリッジ２の構成を簡単にしている。また、本実施例の記録装置１は、ヘッドキャリッジ２に対して係合可能なカッターキャリッジ７を備えており、必要なとき（媒体Ｍを切断するとき）にだけカッターキャリッジ７を移動させることができる。すなわち、本実施例の記録装置１は、媒体Ｍを切断しないときには、簡単な構成とすることで軽量化されたヘッドキャリッジ２のみを移動させることができ、媒体Ｍを切断しないときのヘッドキャリッジ２の往復移動の負荷を低減できる構成になっている。
【００３７】
なお、係合部８がヘッドキャリッジ２と係合する具体的な構成は、例えば、特開２００３−３２０７２０号公報に記載される構成が使用できる。簡単には、例えば、以下のような構成とすることができる。
【００３８】
係合部８は、ヘッドキャリッジ２に対して、平面視で係合可能な第１係合部分と、正面視で係合可能な第２係合部分とを有している。そして、ヘッドキャリッジ２の待機位置は、図５中の破線で表す位置である。ヘッドキャリッジ２は、図５中の実線で表す位置と、図５中の破線で表す位置を超えた左側（壁９ｂ側）の領域に移動可能である。ここで、ヘッドキャリッジ２は、媒体Ｍに記録するときは、図５中の破線で表す位置と、図５中の破線で表す位置を超えた左側（壁９ｂ側）の領域と、の間で往復移動する。また、カッターキャリッジ７の待機位置は、図５で表される位置であり、カッターキャリッジ７も、ヘッドキャリッジ２の移動に合せて、該待機位置と、該待機位置よりも左側（壁９ｂ側）の領域と、において移動可能である。
【００３９】
ヘッドキャリッジ２及びカッターキャリッジ７が共に待機位置にあるときは、第１係合部分は係合されない（係合が解除される）。また、カッターキャリッジ７が待機位置にあるときに、ヘッドキャリッジ２がヘッドキャリッジ２の待機位置よりも壁９ａ側（右側）から待機位置に至ると第２係合部分が係合される。一方、カッターキャリッジ７が待機位置にあるときに、ヘッドキャリッジ２が壁９ｂ側（左側）から待機位置に至ると第２係合部分は係合されない（ヘッドキャリッジ２とカッターキャリッジ７とが係合している場合は該係合が解除される）。すなわち、ヘッドキャリッジ２とカッターキャリッジ７とを係合させる場合には、一旦、ヘッドキャリッジ２を図５中の実線で表す位置に移動させることで、往復方向Ｂにおける１往復分、ヘッドキャリッジ２及びカッターキャリッジ７が係合して共に移動する。
【００４０】
ただし、係合部はこのような構成に限定されない。例えば、必要なとき（媒体Ｍを切断するとき）に、カッターキャリッジ７からヘッドキャリッジ２に向けて突出部が飛び出して、該突出部がヘッドキャリッジ２と係合する構成などとしてもよい。または、磁力などにより引き付ける構成としてもよい。
【００４１】
次に、さらに別の構成である実施例３の記録装置１について説明する。  
［実施例３］（図６）  
図６は本実施例の記録装置１を表す概略正面図であり、実施例１の記録装置１の図３に対応する図である。なお、上記実施例１及び実施例２と共通する構成部材は同じ符号で示しており、詳細な説明は省略する。  
ここで、本実施例の記録装置１は、媒体Ｍの切り屑の回収部１０を備えていること以外は、実施例１の記録装置１と同様の構成である。
【００４２】
図６で表されるように、本実施例の記録装置１は、筐体９における開閉部５の外側に、カッター４が媒体Ｍを切断する際に生じる媒体Ｍの切り屑を回収する回収部１０を備えている。このため、本実施例の記録装置１は、媒体Ｍの切り屑が筐体９の外側に排出されてしまう場合でも、筐体９の外側を汚すことを抑制できる構成になっている。なお、本実施例の回収部１０は上部に孔があけられた箱型の回収部であるが、回収部の構成に特に限定はない。
【００４３】
なお、本発明は上記実施例に限定されることなく、特許請求の範囲に記載した発明の範囲内で種々の変形が可能であり、それらも本発明の範囲内に含まれることは言うまでもない。
【符号の説明】
【００４４】
１…記録装置、２…ヘッドキャリッジ、２ａ…ヘッドキャリッジ、
２ｂ…ヘッドキャリッジ、３…ガイドバー、４…カッター、５…開閉部、
５ａ…開閉部、５ｂ…開閉部、６…記録ヘッド、７…カッターキャリッジ、
８…係合部、９…筐体、９ａ…壁、９ｂ…壁、１０…回収部、１１…カッター刃、
１２…孔部、２０…制御部、２１…ＣＰＵ、２２…システムバス、２３…ＲＯＭ、
２４…ＲＡＭ、２５…モーター駆動部、２６…記録ヘッド駆動部、
２７…搬送モーター、２８…キャリッジモーター、２９…開閉部モーター、
３０…カッターモーター、１０１…記録装置、１０２…ヘッドキャリッジ、
１０３…ガイドバー、１０４…カッター、１０９…筐体、１０９ａ…壁、
１０９ｂ…壁、Ｆ…気流、Ｍ…媒体
【図１】
2019119035.tif 000003
【図２】
2019119035.tif 000004
【図３】
2019119035.tif 000005
【図４】
2019119035.tif 000006
【図５】
2019119035.tif 000007
【図６】
2019119035.tif 000008
【図７】
2019119035.tif 000009